(57)【要約】【課題】多数本の光ファイバの線番確認性を向上せしめた光接続ユニットの提供。【解決手段】光コネクタ２１を接続する複数の光アダプタ２２を配置した引き出し可能なトレイ２０を多段に積層、収納した光接続ユニットであって、前記光コネクタまたはそれに接続された光ファイバ２３ｃに識別表示用の札２６が紐２７を介して取り付けられ、かつ前記トレイの前面側に該札を個別に収納する札ホルダー２５が設けられたことを特徴とする光接続ユニット。【選択図】　図１
2004138642.tif 000002
【特許請求の範囲】
【請求項１】
光コネクタ（２１）を接続する複数の光アダプタ（２２）を配置した引き出し可能なトレイ（２０）を多段に積層、収納した光接続ユニットであって、
前記光コネクタまたはそれに接続された光ファイバ（２３ｃ）に識別表示用の札（２６）が紐（２７）を介して取り付けられ、かつ前記トレイの前面側に該札を個別に収納する札ホルダー（２５）が設けられたことを特徴とする光接続ユニット。
【請求項２】
前記札ホルダーが、該札ホルダーに保持された札をトレイ上面側の所定位置とトレイ前縁に隣接した位置とに切り換え可能な回動機構を備えている請求項１記載の光接続ユニット。
【請求項３】
前記札ホルダーが設けられたトレイ前面部が、それよりも引き出し方向後方側のトレイ本体部に対し水平となる位置と、下方に傾斜する位置とに切り換え可能な変位機構を備えている請求項１または２記載の光接続ユニット。
【請求項４】
前記札ホルダーが、前記札を挟持する透明または半透明の合成樹脂成形体からなる請求項１〜３のいずれかに記載の光接続ユニット。
【発明の詳細な説明】
【０００１】
【発明の属する技術分野】
本発明は、光配線盤や光接続箱等の光接続ユニットに関し、特に線番確認作業性を向上せしめた引き出し式のトレイを有する光接続ユニットに関する。
【０００２】
【従来の技術】
従来、光コネクタ、融着接続部、多心単心分岐部、接続余長等を複数のトレイに整理してコンパクトに収納する光配線盤が知られている（例えば、特許文献１参照。）。
図７は、従来例の光配線盤を示す正面図である。図７中符号１は函体であり、複数本の光ケーブル２が上部あるいは下部から引き込まれている。これら光ケーブル２としては、伝送装置と接続されたものと、外線光ケーブル側のものとがある。これら光ケーブル２は前記函体１の側板１０に沿って配設し、函体１下部の分岐部４ａにてケーブルクランプ４ｂやテンションメンバクランプ４ｃによって固定し、口出して光ファイバ心線３ａを引き出している。これら光ファイバ心線３ａは函体１下部の融着部トレイ収納部Ｔ１に引き込み、該融着部トレイ収納部Ｔ１内に設けられたスライドユニット１２内に多段に積層・収納された引き出し式の融着部トレイ６、６．．．へ振り分けて収納している。各融着部トレイ６、６．．．では、前記光ファイバ心線３ａと分岐接続用のファンアウトコード３ｂの分岐されていない一端とを図示しない融着接続補強部を介して接続している。
【０００３】
前記ファンアウトコード３ｂは前記融着部トレイ収納部Ｔ１の上側に設置したセンタートレイ９を介して上側に引き出し、さらに該ファンアウトコード３ｂの分岐された他端は前記センタートレイ９の上側に設置した分岐接続トレイ収納部Ｔ２内に多段に積層された引き出し式の各分岐接続トレイ８、８．．．内に図中左側から導入し、右側から分岐接続トレイ８に導入されたジャンパコードｊ（光コード）と図示しない光コネクタを介して切替接続可能に接続している。前記分岐接続トレイ８、８．．．は、函体１の背面板１１から突設されたガイド棒１５にガイドされて前後方向（図７紙面奥行き方向）に引き出し／収納可能になっている。ジャンパコードｊは、二つの分岐接続トレイ８、８間に配線され、分岐接続トレイ８内にてファンアウトコード３ｂの分岐された他端と接続することで、目的の光線路同士を接続する。ジャンパコードｊの余長は、分岐接続トレイ収納部Ｔ２内のトレイ８内に収納されるか、あるいは函体１側面の支持具４（コードクランプ）を利用して、下方へ垂らした部分を上方へ折り返すようにして湾曲配線して吸収される。ジャンパコードｊの両端を、それぞれ分岐接続トレイ８内にて、ファンアウトコード３ｂとを接続すると、伝送装置側と外線光ケーブル側の光線路同士がジャンパコードｊを介して接続される。また、分岐接続トレイ８内では、函体１の上部および下部に配置された渡配線収納トレイ９ａ、９ｂから函体１内に導入された渡配線３ｄ（光コード）と、ファンアウトコード３ｂとを接続する場合もある。
【０００４】
【特許文献１】
特開平８−２４８２３５号公報
【０００５】
【発明が解決しようとする課題】
従来、前記光配線盤のトレイに配設された多数本の光コード等の光ファイバを識別するため、該光ファイバに紐を介して札を取り付け、該札に光ファイバの線番などの素性を表示して線番管理を行っていた。光ファイバに結び付けた札は、トレイ上に保管される。
しかしながら、光ファイバの本数増加に伴い、光ファイバ同士の間隔が狭くなり、札どうしが絡み合ったり、札を止める紐が光ファイバに絡みつき易くなり、保守作業時等で線番を確認する際に、札に対応する光ファイバを見つけだすのに手間がかかるなどの問題がある。
【０００６】
本発明は前記事情に鑑みてなされたもので、多数本の光ファイバの線番確認性を向上せしめた光接続ユニットの提供を目的とする。
【０００７】
【課題を解決するための手段】
前記目的を達成するために、本発明は、光コネクタを接続する複数の光アダプタを配置した引き出し可能なトレイを多段に積層、収納した光接続ユニットであって、前記光コネクタまたはそれに接続された光ファイバに識別表示用の札が紐を介して取り付けられ、かつ前記トレイの前面側に該札を個別に収納する札ホルダーが設けられたことを特徴とする光接続ユニットを提供する。
本発明の光接続ユニットにおいて、前記札ホルダーが、該札ホルダーに保持された札をトレイ上面側の所定位置とトレイ前縁に隣接した位置とに切り換え可能な回動機構を備えた構成としてもよい。
また、札ホルダーが設けられたトレイ前面部が、それよりも引き出し方向後方側のトレイ本体部に対し水平となる位置と、下方に傾斜する位置とに切り換え可能な変位機構を備えた構成としてもよい。
さらに、前記札ホルダーが、前記札を挟持する透明または半透明の合成樹脂成形体からなることが好ましい。
【０００８】
【発明の実施の形態】
以下、図面を参照して、本発明の光接続ユニットの一実施形態を説明する。
図１〜図６は、本発明の光接続ユニットの一実施形態として、光接続ユニットの横型トレイの部分を示す図であり、図１（ａ）はトレイの平面図、図１（ｂ）は要部側面図、図１（ｃ）は札ホルダーの斜視図、図２（ａ）はトレイを引き出した状態の平面図、図２（ｂ）は同側面図、図３（ａ）は札ホルダーを目視可能位置に切り換えたトレイの平面図、図３（ｂ）は同側面図、図３（ｃ）は札ホルダーの拡大平面図、図４（ａ）はトレイ前面部がトレイ本体部と水平な状態の平面図、図４（ｂ）は同側面図、図４（ｃ）は札ホルダーへの札の挿入状態を示す拡大図、図５（ａ）はトレイ前面部がトレイ本体部に対して下方に傾斜した状態の平面図、図５（ｂ）はトレイ前面部の変位直前の状態の側面図、図５（ｃ）はトレイ前面部の変位後の状態の側面図、図６（ａ）〜（ｄ）は光ファイバへの札取り付け作業を順に示す側面図である。これらの図中符号２０は横型トレイ（以下、トレイと記す）である。
【０００９】
このトレイ２０は、光コネクタ２１が接続された複数の光アダプタ２２が設けられ、光配線盤のトレイ収納部内に引き出し可能に多段に積層、収納されている。このトレイ２０は、光アダプタ２２に光コネクタ２１を介して接続された光ファイバ２３ｃに、識別表示用の札２６が紐２７を介して取り付けるとともに、トレイ２０の前面側にそれらの札２６を個別に収納する札ホルダー２５を設け、該札ホルダー２５に札２６を保持した構成になっている。
なお、本発明において用語「光アダプタ」は、光コネクタプラグ同士を中継し、内部にて両光コネクタプラグが位置決め接続される光接続機器を総称するものとする。
【００１０】
このトレイ２０は、各種の光配線盤、例えば図７に示すような光配線盤や光接続箱に用いることができ、その用途に応じて光ファイバ２３ａ〜２３ｃ、光アダプタ２２、光コネクタ２１、光カプラ、光スプリッタ、光接続部、余長収納ケース、光モジュール収納ケースなどの各種の部材等が収納される。
図１に示す例示では、トレイ２０の前面側（図１（ａ）のトレイ２０の右端側）から光コネクタ接続用スペース３３を隔てて多数の（図１の例示では２段１２列）光アダプタ２２が連設され、各光アダプタ２２にはジャンパコードのような光ファイバ２３ｃに成端された光コネクタ２１が接続されている。また光アダプタ２２の配設位置より引き出し方向後方側（図１（ａ）のトレイの左部分）には、光モジュール、光ファイバ接続部、光ファイバ余長部などのいずれかの光部品を収納するための収納ケース２４が設けられている。
【００１１】
ここで用いられる光コネクタ２１としては、例えば、ＪＩＳ　Ｃ　５９７３に制定されるＳＣ形光コネクタ（Ｓｉｎｇｌｅ　ｆｉｂｅｒ　Ｃｏｕｐｌｉｎｇ　ｏｐｔｉｃａｌ　ｆｉｂｅｒ　ｃｏｎｎｅｃｔｏｒ）、ＳＣ２形光コネクタ、ＪＩＳ　Ｃ　５９８３に制定されるＭＵ形光コネクタ（Ｍｉｎｉａｔｕｒｅ−Ｕｎｉｔ　ｃｏｕｐｌｉｍｇ　ｏｐｔｉｃａｌ　ｆｉｂｅｒ　ｃｏｎｎｅｃｔｏｒ）、ＪＩＳ　Ｃ　５９８１等に制定されるいわゆるＭＴ形光コネクタ（Ｍｅｃａｎｉｃａｌｌｙ　Ｔｒａｎｓｆｅｒａｂｌｅ）等が採用され
る。また光アダプタ２２（光コネクタアダプタ）は、使用する光コネクタ２１を接続可能なものが採用される。
【００１２】
このトレイ２０は、光接合ユニットのトレイ収納部に多段に設けられたトレイ制御部２９に、トレイ２０が移動可能に係合された引き出し構造を有している。図１（ｂ）に示すように多段に収納されたトレイ２０は、それぞれが個別に引き出し可能に取り付けられ、目的のトレイ２０のみを引き出し可能な構成になっている。トレイ２０の引き出し方向への移動距離は、例えば作業者がトレイ２０の収納ケース２４を点検するのに十分な距離とされる。
【００１３】
札ホルダー２５は、図１（ｃ）に示すように、光ファイバ２３ｃに結び付けた札２６を個別に挟持する断面コ字状の透明または半透明の合成樹脂成形体からなっている。札ホルダー２５の一端側には、札２６に一端を固定した紐２７を収納するための長溝状の切欠２８が、札２６の保持位置に対応して設けられている。札ホルダー２５を形成する透明または半透明の合成樹脂としては、ポリエチレンテレフタレート（ＰＥＴ）系樹脂、ポリカーボネート系樹脂、アクリル系樹脂などが用いられる。
【００１４】
この札ホルダー２５に保持される札２６（丸札）は、本例示では円盤形状をなし、表面に光ファイバ２３ｃを識別する線番等が記入されている。また札２６は、線番等の表示が明瞭に目視できれば透明でも不透明でもよい。透明な札２６としては、無色透明な合成樹脂や色素により着色した合成樹脂が用いられ、また不透明な札２６としては、不透明な合成樹脂や金属板が用いられる。この札２６に固定される紐２７は特に限定されず、各種合成繊維の糸等を用いることができる。
【００１５】
この札ホルダー２５には、札ホルダー２５に保持された札２６をトレイ上面側の所定位置とトレイ前縁に隣接した位置とに切り換え可能な回動機構を備えている。この回動機構は、図３（ｂ）に符号３２で示す取付部材を含んでいる。この取付部材３２は、一端が前記札ホルダー２５に固定され、また他端はトレイ２０前縁の近傍に回動可能に取り付けられている。さらにこの取付部材３２の他端は、札２６をトレイ上面側の所定位置とトレイ前縁に隣接した位置とに切り換え可能にその回動を規制されている。
【００１６】
図２及び図３は、前記回動機構の動作を説明するための図であり、図２は札ホルダー２５に保持された札２６がトレイ上面側の所定位置に収納された状態を示し、図３は札ホルダー２５に保持された札２６がトレイ前縁に隣接した目視可能な位置に引き出された状態を示している。
光配線盤等の光接続ユニット内にトレイ２０を収納する際には、札ホルダー２５が前面側から突出して邪魔にならないように、図２に示すように札ホルダー２５をトレイ２０の上面側に倒し、トレイ２０を後方側に押し込み、収納することができる。
【００１７】
図２（ａ），（ｂ）に示すように、収納されていたトレイ２０を引き出すと、引き出されたトレイ２０（図２（ｂ）の下段のトレイ）の札ホルダー２５がトレイ上面側に現れる。なお、図２（ｂ）中、符号３０はトレイ前面部２０ａを水平状態でロックするとともに、そのロックを解除することでトレイ前面部２０ａをトレイ本体部２０ｂに対して下方に傾斜させる変位動作を切り換えるためのロック部材、３１はつまみである。
【００１８】
引き出したトレイ２０について札ホルダー２５の確認を行うには、札ホルダー２５を指で引き起こし、取付部材３２の他端を回転中心として札ホルダー２５を回転移動させる。その結果、札ホルダー２５は図３（ａ），（ｂ）に示すように、札２６がトレイ前縁に隣接した目視可能な位置に切り換えられる。この目視可能状態にあっては、札２６に記載された線番などの識別表示は図３（ｃ）に示すように、透明または半透明の札ホルダー２５を通して目視可能となる。
【００１９】
さらに、このトレイ２０は、札ホルダー２５が設けられたトレイ前面部２０ａが、それよりも引き出し方向後方側のトレイ本体部２０ｂに対して水平となる位置と、トレイ本体部２０ｂに対してトレイ前面部２０ａが下方に傾斜する位置とに切り換え可能な変位機構を備えている。
図４及び図５は、この変位機構の動作を説明するための図であり、本例示では、ロック部材３０を操作することで、トレイ前面部２０ａの前面側がトレイ本体部２０ｂと水平となる位置と、該前面側がトレイ本体部２０ｂよりも所定角度下方に変位する位置とに切り換える変位動作を行えるようになっている。
【００２０】
図４（ａ）〜（ｃ）は、トレイ前面部２０ａの前面側がトレイ本体部２０ｂと水平となる位置にある場合を示す。ロック部材３０は、下方に変位した（図５（ｃ）参照）トレイ前面部２０ａを引き上げ、トレイ前面部２０ａが水平となる位置に達した時点で、トレイ前面部２０ａの水平状態を維持するようにロックできるようになっている。札ホルダー２５は目視可能位置になっており、図４（ｃ）に示すように札ホルダー２５に札２６を装着可能である。
【００２１】
トレイ前面部２０ａを下方に変位させるには、図５（ａ）に示すように、変位に伴って上下のトレイ２０に衝突するおそれのある部材を安全位置に移動させ、次いで図５（ｂ）に示すように、ロック部材３０のロックを解除する。
このロック部材３０の解除によって、トレイ前面部２０ａは図５（ｃ）に示すように、トレイ本体部２０ｂよりも所定角度下方に変位する。この下方変位状態にあっては、光コネクタ２１の接続操作用のスペースが十分確保され、光アダプタ２２への光コネクタ２１の接続、光ファイバ２３ｃへの札２６の取り付けや交換などの操作が容易となる。
【００２２】
図６（ａ）〜（ｄ）は、トレイ前面部２０ａを下方に変位した状態で、光ファイバ２３ｃに札２６を結び付け、その札２６を札ホルダー２５に取り付ける一連の操作を順に示す図である。
先ず図６（ａ）に示すように、識別表示するべき光ファイバ２３ｃに紐２７の先端を結び付ける。紐２７の固定方法は限定されず、紐２７を光ファイバ２３ｃに縛り付けたり、接着剤や接続部材を用いる方法を採用し得る。
次に、その紐２７に取り付けられた札２６を、その光ファイバ２３ｃの光コネクタ２１と隣接する光コネクタ２１との間の隙間を通して下方に落とす。
【００２３】
この札２６は、図６（ｂ）に示すように、下方に傾斜しているトレイ前面部２０ａの傾斜面上を滑り落ち、トレイ２０の前縁から取り出される。
次に、取り出した札２６を指で持ち、図６（ｃ）に示すように、トレイ２０前縁にある札ホルダー２５の所定位置に挿入する。
図６（ｄ）は、札ホルダー２５に札２６を取り付けた状態を示す。札２６に固定された紐２７は、札ホルダー２５の切欠２８を通してホルダー外に導出される。
【００２４】
札２６を札ホルダー２５に取り付けた後、トレイ前面部２０ａを持ち上げてトレイ本体部２０ｂと水平とし、ロック部材３０によってトレイ前面部２０ａを水平状態でロックし、札ホルダー２５を持ち上げてトレイ上面側に回転させて収納し、トレイ前面部２０ａを下方変位する際に移送させた部材を必要に応じて元の位置に戻し、その後トレイ２０を収納方向に押し込んで光配線盤等の架体に収納る。
【００２５】
このトレイ２０は、光コネクタ２１に接続された光ファイバ２３ｃに識別表示用の札２６が紐２７を介して取り付けられ、かつトレイ２０の前面側に札２６を個別に収納する札ホルダー２５が設けられた構成なので、光ファイバの本数が増加しても札２６どうしが絡み合ったり、札２６を止める紐２７が別の光ファイバに絡みつくことがなくなり、線番確認作業等が容易かつ確実に実施可能となる。
また札ホルダー２５に、札ホルダー２５に保持された札２６をトレイ上面側の所定位置とトレイ前縁に隣接した位置とに切り換え可能な回動機構を設けたことで、トレイ収納時に札ホルダー２５が邪魔にならず、また札の確認時には札ホルダー２５を目視し易い位置に配置できるので、保守作業性、収納性を向上できる。また札ホルダー２５に個別の札２６の紐２７を挿入する切欠を設けたことで、札２６がずれないように整列させることができる。
また、札ホルダー２５が設けられたトレイ前面部２０ａを、トレイ本体部２０ｂに対し水平となる位置と、下方に傾斜する位置とに切り換え可能な変位機構を設けたことによって、札２６を光ファイバ２３ｃに結び付け、その札２６を札ホルダー２５に取り付ける際の作業スペースが広げられ、作業性が向上する。さらにトレイ前面部２０ａを下方傾斜位置に変位させた場合、札２６をこのトレイ前面部２０ａ上に落として滑り落とすことによって光ファイバ２３ｃの下に札２６を通し易くなる。
さらに、札ホルダー２５を、札２６を挟持する断面コ字状の透明または半透明の合成樹脂成形体から構成したことで、札ホルダー２５から札２６を取り外すことなく線番等の表示内容を確認でき、確認作業を簡略化できる。
【００２６】
なお、前記の実施形態は本発明の単なる例示に過ぎず、種々の変更が可能である。例えば、トレイ２０としては、横型の引き出し式トレイに限定されることなく、引き出しタイプのトレイ全般に適用が可能である。
また、札２６と札ホルダー２５との形状、大きさ、係合構造は本例示に限定されず、薄板状の札を簡単に着脱し得る従来公知のホルダーやクリップの構造を適用することもできる。
【００２７】
【発明の効果】
本発明の光接続ユニットは、光コネクタに接続された光ファイバに識別表示用の札が紐を介して取り付けられ、かつ前面側に札を個別に収納する札ホルダーが設けられたトレイを備えた構成としたので、光ファイバの本数が増加しても札どうしが絡み合ったり、札を止める紐が別の光ファイバに絡みつくことがなくなり、線番確認作業等が容易かつ確実に実施可能となる。
また札ホルダーに、札ホルダーに保持された札をトレイ上面側の所定位置とトレイ前縁に隣接した位置とに切り換え可能な回動機構を設けたことで、トレイ収納時に札ホルダーが邪魔にならず、また札の確認時には札ホルダーを目視し易い位置に配置できるので、保守作業性、収納性を向上できる。
また、札ホルダーが設けられたトレイ前面部を、トレイ本体部に対し水平となる位置と、下方に傾斜する位置とに切り換え可能な変位機構を設けたことによって、札を光ファイバに結び付け、その札を札ホルダーに取り付ける際の作業スペースが広げられ、作業性が向上する。さらにトレイ前面部を下方傾斜位置に変位させた場合、札をこのトレイ前面部上に落として滑り落とすことによって光ファイバの下に札を通し易くなる。
さらに、札ホルダーを、札を挟持する断面コ字状の透明または半透明の合成樹脂成形体から構成したことで、札ホルダーから札を取り外すことなく線番等の表示内容を確認でき、確認作業を簡略化できる。
【図面の簡単な説明】
【図１】本発明の光接続ユニットに用いるトレイの一実施形態を示し、（ａ）はトレイの平面図、（ｂ）は要部側面図、（ｃ）は札ホルダーの斜視図である。
【図２】同じトレイを示し、（ａ）はトレイを引き出した状態の平面図、（ｂ）は同側面図である。
【図３】同じトレイを示し、（ａ）は札ホルダーを目視可能位置に切り換えた平面図、（ｂ）は同側面図、（ｃ）は札ホルダーの拡大平面図である。
【図４】同じトレイを示し、（ａ）はトレイ前面部がトレイ本体部と水平な状態の平面図、（ｂ）は同側面図、（ｃ）は札ホルダーへの札の挿入状態を示す拡大図である。
【図５】同じトレイを示し、（ａ）はトレイ前面部がトレイ本体部に対して下方に傾斜した状態の平面図、（ｂ）はトレイ前面部の変位直前の状態の側面図、（ｃ）はトレイ前面部の変位後の状態の側面図である。
【図６】光ファイバへの札取り付け作業を順に示す側面図である。
【図７】従来の光配線盤の正面図である。
【符号の説明】
２０…トレイ、２０ａ…トレイ前面部、２０ｂ…トレイ本体部、２１…光コネクタ、２２…光アダプタ、２３ａ〜２３ｃ…光ファイバ、２４…収納ケース、２５…札ホルダー、２６…札、２７…紐、２８…切欠、２９…トレイ制御部、３０…ロック部材、３１…つまみ、３２…取付部材、３３…光コネクタ接続用スぺース。
【図１】
2004138642.tif 000003
【図２】
2004138642.tif 000004
【図３】
2004138642.tif 000005
【図４】
2004138642.tif 000006
【図５】
2004138642.tif 000007
【図６】
2004138642.tif 000008
【図７】
2004138642.tif 000009